(57)【要約】【課題】  芝刈込み作業時、長い芝を刈込んだ場合でも回転刃の回転軸に芝が直接巻付くのを防止すると共に、芝が巻付いた場合でも芝刈機の本体に負荷を掛けることが少なく、しかも簡単に芝を取除くことが出来る芝刈機を提供することである。【解決手段】  解決手段は、本体２の斜め後方に伸びたハンドル３を有し、該ハンドル３を保持して本体２内部に備えたモータ７に連動して回転する回転刃１１と本体２に調整可能に取付けられた固定刃１２の摺り合わせによって芝の刈込みを行う芝刈機１において、内径は回転刃１１の回転軸１３よりも大きく、外径は回転刃１１の刈込み径より小さく形成されたスペーサ２２を該回転刃１１の回転軸１３の両側に圧入された軸受(ａ)１８、(ｂ)１９を支持部(ａ)２０、(ｂ)２１と回転刃１１の刃物部１４を保持する両端のプレート１５、１７との間に取付けられるようにした。【選択図】図１
2013078267.tif 000002
【特許請求の範囲】
【請求項１】
駆動源と、
前記駆動源を保持する本体と、
前記本体の後方に伸びたハンドルと、
前記駆動源により回転するリール式の回転刃と、
前記本体に取り付けられる固定刃を備えた芝刈機であって、
前記回転刃を回動可能に両端支持している軸受の支持部と前記回転刃の刃物部を保持するプレートとの間にスペーサを設けたことを特徴する芝刈機。
【請求項２】
前記スペーサの取付部の内径は回転刃の回転軸径に対して大きく、回転刃に対して回動可能であることを特徴とする請求項1記載の芝刈機。
【請求項３】
前記スペーサは樹脂等の軽量部材であることを特徴とする請求項1又は２記載の芝刈機。
【発明の詳細な説明】
【技術分野】
【０００１】
本発明は、リール式の回転刃と固定刃により芝の刈込みを行う芝刈機に関する。
【背景技術】
【０００２】
従来のリール式芝刈機は、本体の斜め後方上部に前後方向に対して回転自在に枢支したハンドルを有し、ハンドルを保持して前方に押すようにして本体を地面に沿って走行させ、本体内部に備えたモータやエンジン等の駆動源に連動して回転する回転刃と本体に調整可能に取付けられた固定刃の摺り合せによって芝が刈込まれ、該芝は本体後部の排出口から集草バッグに送られる構造となっている。
【０００３】
また、回転刃は回動可能に軸受で両端支持されており、該軸受の支持部と回転刃の端部との間には接触しないように隙間を設けている。
【０００４】
長い芝の刈込み作業は、刈込まれた芝が芝刈機の本体に負荷を掛けずにスムーズに集草され、更に仕上がりがきれいに行えるように、初めに刈込み高さ調整を高い位置にセットして刈込み、順次短く刈込むことを推奨している。
【先行技術文献】
【特許文献】
【０００５】
【特許文献１】特開平１１−５６０５９号公報
【発明の概要】
【発明が解決しようとする課題】
【０００６】
しかしながら、上記のように構成された芝刈機は、刈込み作業を行なう際に刈込み高さを調整しながら何回かに分けて刈込み作業を行なわなければならないため、作業時間が掛かっていた。
【０００７】
そのため、実際には作業時間短縮のために、長い芝の刈込み作業でも一度に短く刈込む場合が多く、このようにして刈込まれた芝は長くてかさばるので集草バッグまで排出されずに回転刃付近に堆積し易かった。
【０００８】
このような状態で刈込み作業を続けると、刈込まれた長い芝は回転刃の回転軸に巻付いて芝刈機の本体に負荷を掛け、刈込み作業効率の低下を生じさせる。
また、回転刃の軸受部の支持部と回転刃の端部との間や回転刃の刃物部の間から、回転刃の中心部の回転軸に巻付いた芝を取除く作業は刃物部が邪魔になり困難であった。
【０００９】
本発明の目的は、芝刈込み作業時、長い芝を刈込んだ場合でも回転刃の回転軸に芝が直接巻付くのを抑制すると共に、芝が巻付いた場合でも芝刈機の本体に負荷を掛けることが少なく、しかも簡単に芝を取除くことが出来る芝刈機を提供することである。
【課題を解決するための手段】
【００１０】
上記目的を達成するため、本発明は、芝刈機の回転刃を回動可能に両端支持している軸受の支持部と回転刃の刃物部を保持するプレートとの間にスペーサを設けて隙間を無くし、スペーサの取付部の内径は回転刃の回転軸径より大きくすることで達成される。
【発明の効果】
【００１１】
本発明によれば、刈込まれた芝草が回転刃の回転軸に直接巻付くことがなく、回転軸より径の大きなスペーサに巻付くことにより、作業者が芝草を容易に取除くことができる。
また、スペーサを回転刃の回動に連動しないように取付けることで、回転刃と独立したスペーサに巻付くので、回転刃への影響が少なくなり、芝刈機の本体への負荷も軽減出来るようになる。更に、スペーサは回転刃に関係なく回動可能なため、回転刃を動かさなくてもスペーサに巻付いた芝を簡単に取除くことが出来るようになる。
【図面の簡単な説明】
【００１２】
【図１】本発明の実施の形態としてのリール式芝刈機の本体の部分断面側面図である。
【図２】本発明の実施の形態としてのリール式芝刈機のハンドルの拡大図である。
【図３】本発明の実施の形態としてのリール式芝刈機の回転刃の取付状態図である。
【図４】本発明の実施の形態としてのリール式芝刈機のスペーサの斜視図である。
【発明を実施するための最良の形態】
【００１３】
本発明の芝刈機の一実施形態を図１から図４に従って説明する。
【００１４】
図1は本発明の実施例のリール式芝刈機の本体の部分断面側面図、図２は図１のハンドル部拡大図、図３は回転刃の取付け状態図、図４はスペーサの斜視図である。
リール式芝刈機１は、駆動源としてのモータ７と、モータ７を収容する本体２の斜め後方上方に前後方向に対して回転自在に枢支したハンドル３と、本体２に回転可能に支持される図示しない車軸の両端に取り付けられた車輪２３とを備える。本体２の内部には、モータ７と、モータ７からベルト９及びプーリー１０を介して接続された回転刃１１と、回転刃１１の外周に近接して設けられた固定刃１２がそれぞれ配設されている。
芝刈機１は、ハンドル３の図２に示すセフティロックスイッチ４を操作しながらメインスイッチ５を入れることにより、電源コード６により電力が本体２に内蔵のモータ７に供給され、モータ７軸の回転が該モータ７軸に直結されたプーリー(ａ)８とベルト９によって連結されたプーリー(ｂ)１０に直結された回転刃１１が追従して回転する。これにより、芝刈機１の固定刃１２と回転刃１１の外周とが摺り合わされ、芝刈作業を行うことができる。尚、固定刃１２は回転刃１１との間隔が調整可能に構成されている。
【００１５】
また、回転刃１１は回転軸１３に３枚の刃物部１４がプレート１５，１６，１７を介して各々保持されて形成しており、回転軸１３の両側に圧入された軸受(ａ)１８，(ｂ)１９を支持部(ａ)２０，(ｂ)２１によって回動可能に両端支持され、互いに接触しない様に該刃物部１４の両端部と支持部(ａ)２０，(ｂ)２１との間には各々ａ，ｂの隙間があるように構成している。
本発明では、図３に示すように、回転刃１１の両端のプレート１５，１７と支持部(ａ)２０，(ｂ)２１との間にスペーサ２２が取付けられている。スペーサ２２は、図４に示すように中空の内径部２２ａと、外径部２２ｂとを備えた円筒状に形成されている。スペーサ２２の内径部２２ａには回転刃１２の回転軸１３の端部が挿通されている。ここで、内径部２２ａは回転軸１３の外径よりも大きく構成されているため、遊びを持った状態で嵌め込まれ、回転軸１３に対して自由に相対回転可能なよう構成されている。尚、外径部は回転刃１１の刈込み径や刃物部１４の内径よりも小さく形成されており、一部が刃物部１４の内側において刃物部１４と軸方向にオーバーラップするよう設けられている。
上記のように構成された芝刈機１での刈込み作業は、刈った長い芝が刃物部１４の両端部と支持部(ａ)２０，(ｂ)２１との隙間ａ，ｂから入り込んだ際にはスペーサ２２に巻付くようになる。
以上、本発明を実施例に基づいて説明したが、本発明は上述の実施例に限定されるものではなく、その趣旨を逸脱しない範囲内で種々の変更が可能である。例えば、スペーサ２２の外側の形状は円筒状としたがこれに限らず、多角形状とすることで、芝の巻付き防止が向上する。
【符号の説明】
【００１６】
１…芝刈機、２…本体、３…ハンドル、４…セフティロックスイッチ、５…メインスイッチ、６…電源コード、７…モータ、８…プーリー(ａ)、９…ベルト、１０…プーリー(ｂ)、１１…回転刃、１２…固定刃、１３…回転軸、１４…刃物部、１５…プレート、１６… プレート、１７…プレート、１８…軸受(ａ)、１９…軸受(ｂ)、２０…支持部(ａ) 、２１…支持部(ｂ) 、２２…スペーサ、ａ…距離、ｂ…距離である。
【図１】
2013078267.tif 000003
【図２】
2013078267.tif 000004
【図３】
2013078267.tif 000005
【図４】
2013078267.tif 000006